(57)【要約】【課題】  団体保険における該被保険者の、契約の変更手続き、契約の満期管理などの契約管理につき、保険会社は、容易に内容を確認し、迅速な手続きを実行することができない虞があった。【解決手段】  保険会社との間で団体保険契約を締結する団体保険契約者の契約内容に関する第１契約情報を取得する第１取得部と、前記団体保険契約において前記団体保険契約者に属する被保険者の契約内容に関する第２契約情報を取得する第２取得部と、前記第１契約情報と、前記第２契約情報と、に基づいて、前記団体保険契約者と前記被保険者とを紐付けて管理する管理部と、を備える。【選択図】図２
2020201550.tif 000002
【特許請求の範囲】
【請求項１】
保険会社との間で団体保険契約を締結する団体保険契約者の契約内容に関する第１契約情報を取得する第１取得部と、
前記団体保険契約において前記団体保険契約者に属する被保険者の契約内容に関する第２契約情報を取得する第２取得部と、
前記第１契約情報と、前記第２契約情報と、に基づいて、前記団体保険契約者と前記被保険者とを紐付けて管理する管理部と、
を備えることを特徴とする保険契約管理システム。
【請求項２】
前記第１契約情報または前記第２契約情報の少なくとも一方に基づいて、前記団体保険契約者の契約内容または前記被保険者の契約内容の少なくとも一方のうち、所定の契約項目を抽出する抽出部と、
前記抽出部で抽出された前記所定の契約項目に基づいて、前記団体保険契約者に紐付く前記被保険者における前記団体保険契約の保険内容を証明する加入者票に関する加入者票情報を生成する加入者票情報生成部と、
をさらに備えることを特徴とする請求項１に記載の保険契約管理システム。
【請求項３】
前記加入者票情報生成部で生成された前記加入者票情報を、前記加入者票を出力するための処理装置に送信する送信部
をさらに備えることを特徴とする請求項２に記載の保険契約管理システム。
【請求項４】
前記第１取得部は、前記団体保険契約者である金融機関から前記第１契約情報を取得し、
前記第２取得部は、前記被保険者である、前記金融機関の取引者から前記第２契約情報を取得する
ことを特徴とする請求項１乃至請求項３のいずれか一項に記載の保険契約管理システム。
【請求項５】
前記第２取得部は、前記被保険者ごとに証券番号が付された契約内容に関する第２契約情報を取得する
ことを特徴とする請求項１乃至請求項４のいずれか一項に記載の保険契約管理システム。
【請求項６】
コンピュータが、
保険会社との間で団体保険契約を締結する団体保険契約者の契約内容に関する第１契約情報を取得する第１取得ステップと、
前記団体保険契約において前記団体保険契約者に属する被保険者の契約内容に関する第２契約情報を取得する第２取得ステップと、
前記第１契約情報と、前記第２契約情報と、に基づいて、前記団体保険契約者と前記被保険者とを紐付けて管理する管理ステップと、
を実現する保険契約管理方法。
【請求項７】
コンピュータに、
保険会社との間で団体保険契約を締結する団体保険契約者の契約内容に関する第１契約情報を取得させることと、
前記団体保険契約において前記団体保険契約者に属する被保険者の契約内容に関する第２契約情報を取得させることと、
前記第１契約情報と、前記第２契約情報と、に基づいて、前記団体保険契約者と前記被保険者とを紐付けて管理させることと、
を実現させるプログラム。
【発明の詳細な説明】
【技術分野】
【０００１】
本発明は、保険契約管理システム、保険契約管理方法、及びプログラムに関する。
【背景技術】
【０００２】
保険の契約者が保険に関する約款の内容を簡単に把握するための保険契約情報提供システムが開示されている（特許文献１）。
【先行技術文献】
【特許文献】
【０００３】
【特許文献１】特開２００９−１１６６１０号公報
【発明の概要】
【発明が解決しようとする課題】
【０００４】
特許文献１に開示されている保険契約情報提供システムによれば、保険に関する約款の記載につき、保険金に関する部分、保険金を支払う場合の条件に関する部分、保険金を支払わない場合の条件など、それぞれの記載部分に識別情報が付されているため、保険の契約者は、約款の内容を簡単に把握することができる。しかしながら、該システムでは、団体保険において、団体保険の契約者と、団体保険に属する被保険者とを対応付けて管理することができない。すなわち、団体保険における該被保険者の、契約の変更手続き、契約の満期管理などの契約管理につき、保険会社は、容易に内容を確認し、迅速な手続きを実行することができない虞があった。
【０００５】
そこで、本発明は、上記の課題を解決するために、団体保険契約において、団体保険契約の契約者と、団体保険契約に属する被保険者とを対応付けて管理するシステムを提供することを目的とする。
【課題を解決するための手段】
【０００６】
本発明の一態様に係る契約管理システムは、保険会社との間で団体保険契約を締結する団体保険契約者の契約内容に関する第１契約情報を取得する第１取得部と、前記団体保険契約において前記団体保険契約者に属する被保険者の契約内容に関する第２契約情報を取得する第２取得部と、前記第１契約情報と、前記第２契約情報と、に基づいて、前記団体保険契約者と前記被保険者とを紐付けて管理する管理部と、を備える。
【０００７】
本発明の一態様に係る契約管理方法は、コンピュータが、保険会社との間で団体保険契約を締結する団体保険契約者の契約内容に関する第１契約情報を取得する第１取得ステップと、前記団体保険契約において前記団体保険契約者に属する被保険者の契約内容に関する第２契約情報を取得する第２取得ステップと、前記第１契約情報と、前記第２契約情報と、に基づいて、前記団体保険契約者と前記被保険者とを紐付けて管理する管理ステップと、を実現する。
【０００８】
本発明の一態様に係るプログラムは、コンピュータに、保険会社との間で団体保険契約を締結する団体保険契約者の契約内容に関する第１契約情報を取得させることと、前記団体保険契約において前記団体保険契約者に属する被保険者の契約内容に関する第２契約情報を取得させることと、前記第１契約情報と、前記第２契約情報と、に基づいて、前記団体保険契約者と前記被保険者とを紐付けて管理させることと、を実現させる。
【発明の効果】
【０００９】
本発明によれば、団体保険契約を締結した団体保険契約者に属する被保険者を、団体保険契約者と対応付けて管理することができるため、団体保険契約者に関する情報に基づいて、被保険者に関する情報を取得することが容易になる。
【図面の簡単な説明】
【００１０】
【図１】契約管理システムの構成の一例を示す図である。
【図２】契約管理システムにおける加入者票出力処理の概要を示す図である。
【図３】契約管理サーバ装置の機能構成の一例を示す図である。
【図４】第１契約情報テーブルの一例を示す図である。
【図５】第２契約情報テーブルの一例を示す図である。
【図６】加入者票情報テーブルの一例を示す図である。
【図７】端末装置の機能構成の一例を示す図である。
【図８】第１サーバ装置の機能構成の一例を示す図である。
【図９】第２サーバ装置の機能構成の一例を示す図である。
【図１０】加入者票の一例を示す図である。
【図１１】契約管理サーバ装置の処理を示すフロー図である。
【図１２】コンピュータのハードウェア構成の一例を示す図である。
【発明を実施するための形態】
【００１１】
以下に、本発明の一実施形態における保険契約管理システム１について、図面を参照して詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形し、又は各実施例を組み合わせる等して実施することができる。また、以下の図面の記載において、同一または類似の部分には同一または類似の符号を付して表している。
【００１２】
保険契約管理システム１は、団体保険契約を締結する団体保険契約者の契約内容に関する第１契約情報と、団体保険契約における該団体保険契約者に属する被保険者の契約内容に関する第２契約情報を取得して、団体保険契約者と被保険者とを対応付けて管理するシステムである。ここで、団体保険契約とは、団体が、その構成員の補償制度を構築し、加入希望する構成員の加入契約を取りまとめて、保険会社と契約する保険契約をいう。本実施形態においては、団体を団体保険契約者とし、構成員を被保険者として説明する。なお、団体保険契約者とは例えば銀行などの金融機関であり、被保険者とは団体保険契約者と取引関係のある、例えば企業や個人事業主である。
【００１３】
従来、団体保険契約については、団体保険契約者との間における１つの契約として管理されている。つまり、団体保険契約者および被保険者の保険契約の集合体である団体保険契約は、一つの企業の一つの保険契約と同様に管理されている。このため、保険会社や取扱保険代理店の担当者は、団体保険に加入する被保険者の契約内容を容易に確認することができなかった。具体的に述べると、被保険者の契約内容や加入依頼書等申し込みに関する書類は、団体保険契約者に関する書類に添付資料として書面にてファイリングされているため、担当者は、システム上で加入内容や加入依頼書等を確認することができず、被保険者からの契約照会や事故受付に時間を要していた。また、システム上、被保険者が団体保険契約者に紐付いて管理されていないため、被保険者の契約変更手続き、契約の満期管理などの対応にも相当の時間を要していた。さらに、加入者票を、被保険者に発行するため、加入依頼書を転記して作成している。ここで、加入者票とは、団体保険契約における被保険者に保険証券の代替として、被保険者が加入依頼書にもとづき加入された保険内容を証明する書類である。
【００１４】
保険契約管理システム１では、このような問題に対して、団体保険契約の被保険者に所定の識別符号を付して、被保険者と団体保険契約者とを対応づけることで、被保険者に関する契約情報を容易に取得可能とする。具体的には、証券分割により、被保険者に対し、団体保険契約者に紐づいた証券番号を発行することで、担当者が被保険者の契約内容を迅速に確認することを可能とした。また、被保険者ごとに証券番号を発行するため、被保険者それぞれにつき１つの契約として管理できることから、被保険者それぞれに対し、照会応答・更新管理・事故受付などの機能を果たすことができる。ここで、証券分割とは、一の契約を、団体保険契約としての親契約と被保険者の加入契約の子契約との数で分割することであり、例えば１つの団体保険契約につき、被保険者が１００社あれば、親契約の１契約と、子契約の１００契約とに分けて１０１契約を計上する。保険契約管理システム１は、証券分割方式により、団体保険契約として団体保険契約者から取得する申込書に基づいて証券を発行する選択機能と、被保険者それぞれの契約を個別に管理する機能とを有し、１つのデータベースで管理する。
【００１５】
以下、本実施形態における保険契約管理システム１について説明する。
【００１６】
図１は、保険契約管理システム１の構成例を示す図である。図１に示すように、保険契約管理システム１は、契約管理サーバ装置１０、端末装置２０、第１サーバ装置３０、第２サーバ装置４０を含む。以下、保険契約管理システム１の各構成要素について説明する。
【００１７】
契約管理サーバ装置１０は、第１契約情報および第２契約情報を管理し、これらの情報に基づいて加入者票に関する加入者票情報を生成するサーバ装置である。契約管理サーバ装置１０は、例えば、サーバコンピュータなどの情報処理装置で構成され、端末装置２０、第１サーバ装置３０、および第２サーバ装置４０との間で各種情報を送受信するサーバである。契約管理サーバ装置１０は、例えば保険会社所有の各種情報を管理する。
【００１８】
端末装置２０は、例えば、団体保険契約における取扱保険代理店の端末であり、パーソナルコンピュータなどである。端末装置２０は、ネットワーク５０を介して契約管理サーバ装置１０と接続され、契約管理サーバ装置１０から送信される各種情報を、図１２に示す表示装置１０７に表示する。取扱保険代理店は、端末装置２０を用いて、契約管理サーバ装置１０からの要求に応答する。
【００１９】
第１サーバ装置３０は、例えば、加入者票情報を管理するサーバであり、サーバコンピュータなどの情報処理装置などである。第１サーバ装置３０は、ネットワーク５０を介して契約管理サーバ装置１０および第２サーバ装置４０と通信可能に接続される。第１サーバ装置３０と、契約管理サーバ装置１０および第２サーバ装置４０との間の各種情報の送受信については後述する。
【００２０】
第２サーバ装置４０は、例えば、加入者票情報に基づいて加入者票を印刷するためのサーバであり、サーバコンピュータなどの情報処理装置などである。第２サーバ装置４０は、ネットワーク５０を介して第１サーバ装置３０と通信可能に接続される。第２サーバ装置４０と、第１サーバ装置３０との間の各種情報の送受信については後述する。
【００２１】
[保険契約管理システム１の概要]
保険契約管理システム１の概要について説明する。図２は、保険契約管理システム１において団体保険契約の申込みから加入者票を印刷するまでの処理の概要を示す図である。以下では、図２を参照して各種情報の流れを説明する。
【００２２】
まず、Ｓ１において、企業や個人事業主などの団体保険契約における被保険者は、団体保険契約の団体保険契約者に加入依頼を実施する。加入依頼は、被保険者が所定の加入依頼書に記名・捺印することで実施される。なお、記名・捺印された加入依頼書を示す加入依頼書情報を被保険者の端末装置２２から団体保険契約者の端末装置２１に送信してもよい。ここで、加入依頼書とは、団体保険契約における被保険者の加入内容につき、団体保険契約の申込書の代替として団体保険契約者に示す書面である。
【００２３】
次に、Ｓ２において、団体保険契約者は、取扱保険代理店に団体保険契約の申込みを実施する。団体保険契約の申込書は、団体保険契約者が所定の団体保険契約書に記名・捺印することで実施される。記名・捺印された団体保険契約の申込書には、例えば、団体保険契約者における団体保険契約の申込書（第１契約情報に対応）と、被保険者における団体保険に加入するための加入申込書（第２契約情報に対応）とが含まれる。なお、記名・捺印された団体保険契約の申込書を示す、後述する第１契約情報および第２契約情報を、端末装置２１から端末装置２０に送信してもよい。
【００２４】
次に、Ｓ３において、取扱保険代理店は、団体保険契約の申込みを受けると、端末装置２０を介して、契約管理サーバ装置１０に第１契約情報および第２契約情報を送信する。これにより、契約管理サーバ装置１０において、団体保険契約者と被保険者とを別々に管理することができる。
【００２５】
次に、Ｓ４において、契約管理サーバ装置１０は、第１契約情報に基づいて保険証券作成処理を実行する。保険証券作成処理については後述する。
【００２６】
次に、Ｓ５において、契約管理サーバ装置１０は、例えば第２契約情報に基づいて、加入者票情報を生成する。
【００２７】
次に、Ｓ６において、第１サーバ装置３０は、契約管理サーバ装置１０から送信される加入者票情報を取得する。第１サーバ装置３０は、加入者票情報を管理する。
【００２８】
次に、Ｓ７において、第２サーバ装置４０は、第１サーバ装置３０から送信された加入者票情報に基づいて加入者票を印刷する。人を介在させずに、加入者票情報に基づいて加入者票を作成するため、加入者票の作成時の人的なミスや、加入者票の郵送時の情報漏洩などのリスクを軽減できる。
【００２９】
[保険契約管理システム１の機能構成]
次に、上記の処理を実現するために、契約管理サーバ装置１０、端末装置２０、第１サーバ装置３０、および第２サーバ装置４０が備えている機能について説明する。
【００３０】
図３を参照して、契約管理サーバ装置１０の機能構成について説明する。図３は、契約管理サーバ装置１０の機能構成の一例を示す図である。図３に示すとおり、契約管理サーバ装置１０は、例えば、第１契約情報テーブル１１ａ、第２契約情報テーブル１１ｂ、取得部１２、第１契約管理部１３、第２契約管理部１４、項目抽出部１５、加入者票情報生成部１６、および送信部１７の機能を有する。ここで、第１契約情報テーブル１１ａおよび第２契約情報テーブル１１ｂは、１つのデータベース上に管理している。また、契約管理サーバ装置１０が有するように記載しているが、他の装置が有していてもよい。この場合、契約管理サーバ装置１０は、該他の装置に各種情報を格納し、該他の装置から各種情報を取得する。また、各機能は、契約管理サーバ装置１０が有するように記載しているが、第１サーバ装置３０、第２サーバ装置４０、または他の外部装置により実現されてもよい。
【００３１】
図４は、第１契約情報テーブル１１ａの構成例を示している。図４に示すように、第１契約情報テーブル１１ａは、第１契約情報を格納しており、データ項目として、例えば、第１契約証券番号、営業店コード、代理店コード、契約者名、種目、始期日、支店名、課支社名などを含む。第１契約証券番号は、団体保険契約者の保険証券を識別する符号である。保険証券とは、保険会社が団体保険契約者に対して発行する、団体保険契約を締結したことの証明書である。営業店コードは、保険会社の営業店を識別する識別符号である。代理店コードは、団体保険の代理店を識別する識別符号である。契約者名は、団体保険契約者の名称である。種目は、保険種目であり、例えば、会社役員賠償責任保険、サイバーリスク保険、個人情報漏えい保険、生産物賠償責任保険などである。始期日は、団体保険契約の始期である。支店名は、団体保険契約者における支店の名称である。課支社名は、団体保険契約者における課支社の名称である。ここで、第１契約情報テーブル１１ａは、後述する取得部１２において第１契約情報を取得したことを契機に更新される。なお、第１契約情報テーブル１１ａにおけるデータ項目は上記に限定されず、被保険者の契約内容を示す項目がさらに示されていてもよい。
【００３２】
図５は、第２契約情報テーブル１１ｂの構成例を示している。図５に示すように、第２契約情報テーブル１１ｂは、第２契約情報を格納しており、データ項目として、例えば、第１契約証券番号、第２契約証券番号、契約者名、住所、始期日などを含む。第１契約証券番号は、団体保険契約者の保険証券を識別する符号である。第２契約証券番号は、第１契約証券番号に紐づき、被保険者の保険証券を識別する符号である。ここで、被保険者の保険証券とは、団体保険契約者の証券を証券分割した証券である。契約者名は、被保険者の名称を入力している。住所は、被保険者の拠点となる場所である。始期日は、被保険者の加入契約の始期である。ここで、第２契約情報テーブル１１ｂは、後述する取得部１２において第２契約情報を取得したことを契機に更新される。なお、第２契約情報テーブル１１ｂにおけるデータ項目は上記に限定されず、被保険者の契約内容を示す項目がさらに示されていてもよい。
【００３３】
図６は、加入者票情報テーブル１１ｃの構成例を示している。図６に示すように、加入者票情報テーブル１１ｃは、加入者票情報を格納しており、保険種目ごとに生成する。データ項目として、例えば、加入者番号、加入者、第１契約証券番号、契約者名、加入期間、遡及日、業種区分、提供地域、補償内容、適用約款、特約条項、保険料などを含む。加入者番号は、第２契約証券番号に対応し、加入者票を識別する符号である。加入者は、被保険者の名称である。第１契約証券番号は、各加入者票情報と紐付く団体保険契約者の保険証券を識別する符号である。契約者名は、団体保険契約者の名称である。その他の項目は、被保険者の契約内容を示す。加入者票情報テーブル１１ｃは、加入者票情報生成部１６において加入者票情報を生成したことを契機に更新される。
【００３４】
取得部１２は、団体保険契約の取扱保険代理店の端末装置２０から、第１契約情報および第２契約情報を取得する。なお、取得部１２は、第１契約情報および第２契約情報を、契約管理サーバ装置１０の入力Ｉ／Ｆ部１０４を介して管理者からの入力を受け付けることで、取得してもよい。
【００３５】
第１契約管理部１３は、団体保険契約者の団体保険契約に関する第１契約情報を管理する。第１契約管理部１３は、団体保険契約の取扱保険代理店の端末装置２０から送信される第１契約情報を第１契約情報テーブル１１ａに格納する。これにより、団体保険契約者の契約情報を容易に検索することができる。また、第１契約管理部１３は、保険証券作成処理を実行できる。保険証券作成処理とは、第１契約情報テーブル１１ａに基づいて、保険証券のフォーマットに団体保険契約者に関する各種情報を入力することにより、保険証券を作成する処理である。また、第１契約管理部１３は、第１契約情報を所定のフォーマットで管理してもよい。これにより、担当者において、団体保険契約者の契約状況の把握が容易となる。また、第１契約管理部１３は、保険料や保険金などを取り扱う会計装置（不図示）に各種情報を提供してもよい。これにより、適切な保険金管理を実現できる。
【００３６】
第２契約管理部１４は、被保険者の団体保険契約に関する第２契約情報を管理する。第２契約管理部１４は、団体保険契約者の端末装置２０から送信される第２契約情報を第１契約情報に紐付けて、第２契約情報テーブル１１ｂに格納する。これにより、被保険者の契約情報を容易に検索することができる。なお、第２契約管理部１４は、第２契約情報を所定のフォーマットで管理してもよい。これにより、担当者において、被保険者の契約状況の把握が容易となる。
【００３７】
項目抽出部１５は、加入者票情報を生成するべく、例えば第２契約情報テーブル１１ｂから、第１契約証券番号をキーとして、所定の契約項目に関する情報を抽出する。具体的に述べると、所定の契約項目は、例えば、加入者番号となる第２契約証券番号や、それと紐付く契約項目である。なお、項目抽出部１５は、加入者票情報を作成するべく、例えば、第１契約情報テーブル１１ａからも、所定の契約項目に関する情報を抽出してもよい。
【００３８】
加入者票情報生成部１６は、抽出された契約項目に関する情報に基づいて、加入者票に関する加入者票情報を生成する。これにより、加入者票をシステム上で管理することができるため、加入者票の取り扱いにかかる、人的作業における不具合を回避できる。なお、加入者票情報生成部１６は、抽出された契約項目に加えて、所定のテーブル（不図示）から契約に関する補完情報を付加して、加入者票情報を生成してもよい。所定のテーブルには、第１契約情報および第２契約情報には含まれない、例えば団体保険契約者において被保険者を登録する際に生成される被保険者に関する情報が、格納されている。
【００３９】
送信部１７は、加入者票情報生成部１６で生成された加入者票情報を第１サーバ装置３０に送信する。これにより、第１サーバ装置３０は、加入者票情報を管理することができ、第１サーバ装置３０から加入者票情報を取得した第２サーバ装置４０で、加入者票を作成することができるため、加入者票を書面にて取り扱う場合と比較して、郵送時の書類紛失や情報漏洩などの人的リスクを排除できる。なお、送信部１７は、第２サーバ装置４０に加入者票情報を送信してもよい。これにより簡易なシステム構築が可能となる。
【００４０】
次に、図７を参照して、端末装置２０の機能構成について説明する。図７は、端末装置２０の機能構成の一例を示す図である。図７に示すとおり、端末装置２０は、入力部２０ａ、送受信部２０ｂ、および表示制御部２０ｃの機能を有する。
【００４１】
入力部２０ａは、団体保険契約における取扱保険代理店の操作者による端末装置２０に対する操作に応じて各種の情報（データ）を受け付ける。例えば、入力部２０ａは、操作者による操作に応じて、団体保険契約者における第１契約情報の入力を受け付ける。
【００４２】
送受信部２０ｂは、端末装置２０におけるデータの送受信を制御する。例えば、送受信部２０ｂは、入力部２０ａにより入力された情報を、取扱保険代理店における営業店にて確認し、その確認結果に基づいて、契約管理サーバ装置１０などの外部装置に送信する。また、送受信部２０ｂは、契約管理サーバ装置１０などの外部装置からの通知や各種情報を受信する。
【００４３】
表示制御部２０ｃは、端末装置２０が備える、または端末装置２０に接続された表示装置１０７の表示を制御する。例えば、表示制御部２０ｃは、取扱保険代理店の操作者の団体保険契約の申込み手続きを進めるために必要な各種の画面（ユーザインタフェース）を生成し、表示装置１０７へ表示することを制御する。
【００４４】
次に、図８を参照して、第１サーバ装置３０の機能構成について説明する。図８は、第１サーバ装置３０の機能構成の一例を示す図である。図８に示すとおり、第１サーバ装置３０は、加入者票情報テーブル３０ａ、取得部３０ｂ、送信部３０ｃの機能を有する。
【００４５】
加入者票情報テーブル３０ａは、契約管理サーバ装置１０の加入者票情報テーブル１１ｃと同様であるため、その説明を省略する。
【００４６】
取得部３０ｂは、契約管理サーバ装置１０から、加入者情報を取得する。
【００４７】
送信部３０ｃは、取得部３０ｂで取得した加入者情報を、第２サーバ装置４０に送信する。
【００４８】
次に、図９を参照して、第２サーバ装置４０の機能構成について説明する。図９は、第２サーバ装置４０の機能構成の一例を示す図である。第２サーバ装置４０は、第１サーバ装置３０の機能に加えて印刷部４０ｃの機能を有するため、以下では印刷部４０ｃについて説明する。
【００４９】
印刷部４０ｃは、加入者情報に基づいて加入者票を所定のフォーマットにて印刷する。図１０は、加入者票の一例を示す図である。加入者票は、図１０に示すように、加入者票情報テーブル３０ａに基づいて作成される。
【００５０】
[契約管理サーバ装置１０の処理手順]
図１１は、契約管理サーバ装置１０の処理の一例を示すフロー図である。図１１を参照して、契約管理サーバ装置１０により実行される処理の一例を説明する。
【００５１】
まず、ステップＳ１００において、契約管理サーバ装置１０は、取扱保険代理店の端末装置２０から第１契約情報および第２契約情報を取得する。なお、上述したとおり、契約管理サーバ装置１０は、第１契約情報および第２契約情報を、その入力Ｉ／Ｆ部１０４を介して管理者からの入力を受け付けることで、取得してもよい。
【００５２】
次に、ステップＳ１０１において、契約管理サーバ装置１０は、団体保険契約者の第１契約情報と被保険者の第２契約情報とを紐付けて管理する。具体的には、第２契約情報テーブル１１ｂにおいて、第２契約情報それぞれに第１契約情報における第１契約証券番号を対応付けて管理する。これにより、被保険者の契約情報をシステム上で迅速に確認することができる。
【００５３】
次に、ステップＳ１０２において、契約管理サーバ装置１０は、加入者票情報を生成する。加入者票情報は、上述したとおり、例えば第２契約情報テーブル１１ｂから、所定の契約項目を抽出することで生成される。
【００５４】
次に、ステップＳ１０３において、契約管理サーバ装置１０は、加入者票情報を第１サーバ装置３０を経由して、第２サーバ装置４０に送信する。具体的には、加入者票情報は、例えば、日次でバッジ処理により作成され、第１サーバ装置３０を経由して、第２サーバ装置４０に送信される。
【００５５】
［ハードウェア構成］
図１２を参照して、契約管理サーバ装置１０、端末装置２０、第１サーバ装置３０、および第２サーバ装置４０をコンピュータ１００により実現する場合のハードウェア構成の一例を説明する。なお、それぞれの装置の機能は、複数台の装置に分けて実現することもできる。ここで、契約管理サーバ装置１０、端末装置２０、第１サーバ装置３０、および第２サーバ装置４０が有する機能は、図１１における、制御部（プロセッサ１０１）が記憶装置１０３に記憶されたコンピュータプログラムを読み込み、実行し、契約管理サーバ装置１０、端末装置２０、第１サーバ装置３０、および第２サーバ装置４０の各構成を制御すること等により実現される。
【００５６】
図１２は、コンピュータのハードウェア構成の一例を示す図である。図１２に示すように、コンピュータ１００は、プロセッサ１０１と、メモリ１０２と、記憶装置１０３と、入力Ｉ／Ｆ部１０４と、データＩ／Ｆ部１０５と、通信Ｉ／Ｆ部１０６、及び表示装置１０７を含む。
【００５７】
プロセッサ１０１は、メモリ１０２に記憶されているプログラムを実行することによりコンピュータ１００における各種の処理を制御する制御部である。
【００５８】
メモリ１０２は、例えばＲＡＭ（Ｒａｎｄｏｍ  Ａｃｃｅｓｓ  Ｍｅｍｏｒｙ）等の記憶媒体である。メモリ１０２は、プロセッサ１０１によって実行されるプログラムのプログラムコードや、プログラムの実行時に必要となるデータを一時的に記憶する。
【００５９】
記憶装置１０３は、例えばハードディスクドライブ（ＨＤＤ）やフラッシュメモリ等の不揮発性の記憶媒体である。記憶装置１０３は、オペレーティングシステムや、上記各構成を実現するための各種プログラムを記憶する。
【００６０】
入力Ｉ／Ｆ部１０４は、ユーザからの入力を受け付けるためのデバイスである。入力Ｉ／Ｆ部１０４の具体例としては、キーボードやマウス、タッチパネル、各種センサ、ウェアラブル・デバイス等が挙げられる。入力Ｉ／Ｆ部１０４は、例えばインターネット等に接続されるインタフェースを介して、セキュリティを確保するように電子ファイルの読み替えによりコンピュータ１００に接続されても良い。
【００６１】
データＩ／Ｆ部１０５は、コンピュータ１００の外部からデータを入力するためのデバイスである。データＩ／Ｆ部１０５の具体例としては、各種記憶媒体に記憶されているデータを読み取るためのドライブ装置等がある。データＩ／Ｆ部１０５は、コンピュータ１００の外部に設けられることも考えられる。その場合、データＩ／Ｆ部１０５は、例えばインターネット等に接続されるインタフェースを介して、セキュリティを確保するように電子ファイルの読み替えによりコンピュータ１００へと接続される。
【００６２】
通信Ｉ／Ｆ部１０６は、コンピュータ１００の外部の装置と有線又は無線により、インターネットＮを介したデータ通信を行うためのデバイスである。通信Ｉ／Ｆ部１０６は、コンピュータ１００の外部に設けられることも考えられる。その場合、通信Ｉ／Ｆ部１０６は、例えばインターネット等に接続されるインタフェースを介して、セキュリティを確保するように電子ファイルの読み替えによりコンピュータ１００に接続される。
【００６３】
表示装置１０７は、各種情報を表示するためのデバイスである。表示装置１０７の具体例としては、例えば液晶ディスプレイや有機ＥＬ（Ｅｌｅｃｔｒｏ−Ｌｕｍｉｎｅｓｃｅｎｃｅ）ディスプレイ、ウェアラブル・デバイスのディスプレイ等が挙げられる。表示装置１０７は、コンピュータ１００の外部に設けられても良い。その場合、表示装置１０７は、例えばディスプレイケーブル等を介してコンピュータ１００に接続される。また、入力Ｉ／Ｆ部１０４としてタッチパネルが採用される場合には、表示装置１０７は、入力Ｉ／Ｆ部１０４と一体化して構成することが可能である。
【００６４】
［他の実施例］
保険契約管理システム１は、更新処理部（不図示）の機能をさらに有していてもよい。更新処理部は、端末装置２０から送信される更新加入依頼書に関する更新加入依頼書情報に基づいて、第２契約情報を更新する。具体的には、更新処理部は、更新加入依頼書情報における第２契約証券番号に基づいて、第２契約情報テーブル１１ｂにおける第２契約情報を更新する。これにより、迅速な契約情報の更新が可能となる。
【００６５】
契約管理サーバ装置１０は、加入者票情報に基づいて加入者票を印刷する印刷部（不図示）を有していてもよい。これにより、保険会社にて書面による加入者票の管理が可能となる。
【００６６】
契約管理サーバ装置１０は、第１契約情報または第２契約情報の異動を示す異動情報を取得した場合、異動情報に基づいて、第１契約情報テーブル１１ａまたは第２契約情報テーブル１１ｂを更新する異動管理部（不図示）の機能をさらに有していてもよい。この場合、加入者情報生成部は、異動情報により更新された第１契約情報または第２契約情報に基づいて、加入者票情報を生成する。送信部１７は、生成された加入者票情報を端末装置２０または端末装置２１に送信する。これにより、異動により更新された契約内容を団体保険契約者および被保険者に迅速に知らせることができる。
【符号の説明】
【００６７】
１…保険契約管理システム、１０…契約管理サーバ装置、１１…記憶部、１２…取得部、１３…第１契約管理部、１４…第２契約管理部、１５…項目抽出部、１６…加入者票情報生成部。
【図１】
2020201550.tif 000003
【図２】
2020201550.tif 000004
【図３】
2020201550.tif 000005
【図４】
2020201550.tif 000006
【図５】
2020201550.tif 000007
【図６】
2020201550.tif 000008
【図７】
2020201550.tif 000009
【図８】
2020201550.tif 000010
【図９】
2020201550.tif 000011
【図１０】
2020201550.tif 000012
【図１１】
2020201550.tif 000013
【図１２】
2020201550.tif 000014